(57)【要約】【課題】蒸気の漏洩を防止することができる吸収式冷凍機を提供する。【解決手段】内部で冷媒を蒸発させる蒸発器５と、蒸発器５に接続されて内部で吸収液による前記冷媒の吸収を行う吸収器６と、吸収器６で使用された吸収液の再生を行う再生器２と、再生器２に挿通されて前記吸収液の再生を行うための熱源となる蒸気が流通される蒸気配管７ａと、蒸気配管７ａ上に設けられて前記蒸気の流量を調節する蒸気制御弁１３および蒸気遮断弁１４と、ドレン配管７ｂ上でかつ再生器２の下流側に設けられて前記蒸気の熱を回収する熱回収器１６とを備える吸収式冷凍機１であって、ドレン配管７ｂ内における前記蒸気の流通を遮断する蒸気ドレン遮断弁１７が、蒸気制御弁１３および蒸気遮断弁１４とは別に、さらにドレン配管７ｂ上に設けられている。【選択図】図１
2008241083.tif 000002
【特許請求の範囲】
【請求項１】
内部で冷媒を蒸発させる蒸発器と、該蒸発器に接続されて内部で吸収液による前記冷媒の吸収を行う吸収器と、該吸収器で使用された吸収液の再生を行う再生器と、該再生器に挿通されて前記吸収液の再生を行うための熱源となる蒸気が流通される熱源配管と、該熱源配管上に設けられて前記蒸気の流量を調節する蒸気制御弁および蒸気遮断弁と、該熱源配管上でかつ前記再生器の下流側に設けられて前記蒸気の熱を回収する熱回収器とを備える吸収式冷凍機であって、
前記熱源配管内における前記蒸気の流通を遮断する蒸気ドレン遮断弁が、前記蒸気制御弁および蒸気遮断弁とは別に、さらに前記熱源配管上に設けられていることを特徴とする吸収式冷凍機。
【請求項２】
前記蒸気ドレン遮断弁は、前記熱源配管上で、かつ前記熱回収器の下流側に設けられていることを特徴とする請求項１に記載の吸収式冷凍機。
【請求項３】
前記蒸気制御弁および蒸気遮断弁の開閉を制御する制御器をさらに備え、
前記蒸気ドレン遮断弁は、前記制御器からの出力信号に基づいて開閉することを特徴とする請求項１または２に記載の吸収式冷凍機。
【請求項４】
前記蒸気ドレン遮断弁は、手動により開閉可能であることを特徴とする請求項１または２に記載の吸収式冷凍機。
【発明の詳細な説明】
【技術分野】
【０００１】
本発明は、吸収式冷凍機に関するものであり、特に、熱源に蒸気を利用した吸収式冷凍機に関するものである。
【背景技術】
【０００２】
吸収式冷凍機は、快適な空調を提供するために蒸気やガス等を熱源として冷水を製造する機械であり、特に蒸気を熱源とした大型の吸収式冷凍機は、地域冷暖房、工場空調等の大規模空調施設において、多く用いられている。
【０００３】
一般的な蒸気式の吸収式冷凍機は、例えば特許文献１に記載されているように、冷却水と冷媒（例えば水等）との熱交換を行う蒸発器１０４と、蒸発器１０４に接続されて内部でＬｉＢｒ（臭化リチウム）等の吸収液による冷媒の吸収を行う吸収器１０５と、吸収器１０５で使用された吸収液の再生を行う再生器１０１，１０２とを備えている。
【０００４】
再生器１０１は、冷媒を吸収して希釈された吸収液を、蒸気を熱源として加熱して冷媒を蒸発させて除去することで、吸収液を濃縮するものである。再生器１０１に供給された蒸気は、吸収液を再生するための熱源として利用された後、再生器１０１の下流側に接続される熱回収器１０６に送り込まれて、その熱が回収される。熱回収器１０６は、この蒸気と再生器１０１に送り込まれる吸収液との熱交換を行い、再生器１０１に送り込まれる吸収液を加熱するものである。
【０００５】
ここで、特許文献１に記載の吸収式冷凍機１００は、再生器１０１として、高温（高圧）再生器１０１と低温（低圧）再生器１０２とを有する、いわゆる二重効用の吸収式冷凍機である。
【０００６】
高温再生器１０１は、吸収器１０５から熱回収器１０６を介して吸収液が送り込まれて、この吸収液を、蒸気を熱源として再生するものである。また、低温再生器１０２は、高温再生器１０１から発生した蒸気を熱源として吸収液の再生を行うものである。
【特許文献１】特開平８−２００８８３号公報（１９９６年８月６日公開）
【発明の開示】
【発明が解決しようとする課題】
【０００７】
ところで、蒸気式の吸収式冷凍機では、熱源として利用される蒸気の量を調節することにより空調機に供給される冷水の温度を調節する蒸気制御弁および蒸気遮断弁が、該吸収式冷凍機における蒸気の入口側の蒸気配管（熱源配管）に設けられ、また、熱源として利用された後、外部に排出される蒸気および蒸気ドレンの逆流を防ぐ逆止弁が、吸収式冷凍機における蒸気の出口側のドレン配管（熱源配管）に設けられている。蒸気制御弁および蒸気遮断弁は、吸収式冷凍機が停止している間は完全に閉じた状態となり、吸収式冷凍機内および外部への蒸気の流出を防ぐ機能を有している。
【０００８】
吸収式冷凍機は、主に夏季に稼動し、冬季には長期間の停止状態となる。そのため、吸収式冷凍機が停止している間は、年中稼動する蒸気ラインを流れる蒸気が外部に排出されないように、蒸気制御弁および蒸気遮断弁で蒸気配管を完全に密封する必要がある。
【０００９】
しかしながら、従来の吸収式冷凍機では、吸収式冷凍機が稼動している時期、例えば夏季の間、該吸収式冷凍機への蒸気の供給量の調節のため、または運転／停止動作のために、蒸気制御弁および蒸気遮断弁の開閉動作が繰り返される。これにより、蒸気制御弁および蒸気遮断弁が磨耗等により劣化し、蒸気配管を完全に密封することができなくなる。特に吸収式冷凍機に接続される蒸気ラインでは、高温高圧の蒸気が流通しているため、僅かでも隙間があると、その隙間から蒸気が漏洩してしまう。これにより、蒸気ラインにおける蒸気の損失が生じるという問題点がある。
【００１０】
本発明は、上記の問題点に鑑みてなされたものであり、その目的は、蒸気の漏洩を防止することができる吸収式冷凍機を提供することである。
【課題を解決するための手段】
【００１１】
本発明の吸収式冷凍機は、上記課題を解決するために、内部で冷媒を蒸発させる蒸発器と、該蒸発器に接続されて内部で吸収液による前記冷媒の吸収を行う吸収器と、該吸収器で使用された吸収液の再生を行う再生器と、該再生器に挿通されて前記吸収液の再生を行うための熱源となる蒸気が流通される熱源配管と、該熱源配管上に設けられて前記蒸気の流量を調節する蒸気制御弁および蒸気遮断弁と、該熱源配管上でかつ前記再生器の下流側に設けられて前記蒸気の熱を回収する熱回収器とを備える吸収式冷凍機であって、前記熱源配管内における前記蒸気の流通を遮断する蒸気ドレン遮断弁が、前記蒸気制御弁および蒸気遮断弁とは別に、さらに前記熱源配管上に設けられていることを特徴としている。
【００１２】
ここで、吸収式冷凍機は、冷媒として例えば水（Ｈ２Ｏ）、吸収液として臭化リチウム（ＬｉＢｒ）溶液が利用される。
【００１３】
上記の構成によれば、蒸気制御弁および蒸気遮断弁が設けられている熱源配管上に、さらに蒸気ドレン遮断弁が設けられている。
【００１４】
従来の吸収式冷凍機では、該吸収式冷凍機が稼動している時期の間、冷水の温度調節や、吸収式冷凍機の運転／停止の切り替えのために、蒸気制御弁および蒸気遮断弁の開閉が繰り返されるため、蒸気制御弁および蒸気遮断弁が磨耗等により劣化が生じる。そのため、吸収式冷凍機が停止しているときに蒸気の流出を完全に遮断することができない。
【００１５】
この点、本発明の吸収式冷凍機は、上述のように、熱源配管上に、蒸気の流出を遮断する蒸気ドレン遮断弁が設けられているため、蒸気ドレン遮断弁を閉じた場合、熱源配管内に残留する高温高圧の蒸気が次第に冷やされることによって、蒸気ドレン遮断弁の手前で凝縮水が生成され熱源配管内が凝縮水により密封される。これにより、たとえ蒸気制御弁および蒸気遮断弁から蒸気が漏洩したとしても、蒸気ドレン遮断弁から下流側には蒸気が流出されなくなる。
【００１６】
また、蒸気ドレン遮断弁は、蒸気制御弁および蒸気遮断弁のように頻繁に使用されるものではなく、例えば吸収式冷凍機の長期間の停止時に使用される。そのため、蒸気制御弁および蒸気遮断弁のように劣化による蒸気の漏洩が生じることもない。
【００１７】
したがって、吸収式冷凍機が、例えば長期間停止状態となる場合であっても、蒸気ラインにおける蒸気の損失を防止することができる。
【００１８】
また、本発明の吸収式冷凍機は、上記記載の吸収式冷凍機において、前記蒸気ドレン遮断弁は、前記熱源配管上で、かつ前記熱回収器の下流側に設けられていることが好ましい。
【００１９】
上記の構成によれば、前記蒸気ドレン遮断弁は、前記熱源配管上で、かつ前記熱回収器の下流側に設けられる。吸収式冷凍機では、一般に、熱源配管上の熱回収器の下流側は、蒸気ドレンが常に流れているため、高温高圧の蒸気を閉止するのに比べて格段に閉止が容易である。また、熱源配管上の熱回収器の下流側は、外部に繋がっているため、熱回収器の上流側に設置するのと比較して、蒸気ドレン遮断弁の取り付け、交換作業等が容易となる。
【００２０】
また、本発明の吸収式冷凍機は、上記記載の吸収式冷凍機において、前記蒸気制御弁および蒸気遮断弁の開閉を制御する制御器をさらに備え、前記蒸気ドレン遮断弁は、前記制御器からの出力信号に基づいて開閉することが好ましい。
【００２１】
上記の構成によれば、前記蒸気ドレン遮断弁は、前記制御器からの出力信号に基づいて開閉する。
【００２２】
具体的には、例えば使用者が吸収式冷凍機の停止動作を行った場合、制御器は、吸収式冷凍機への蒸気の供給を遮断すべく蒸気制御弁および蒸気遮断弁に閉動作命令を付与する。そして、蒸気制御弁および蒸気遮断弁が完全に閉じた時点で、制御器が蒸気ドレン遮断弁に閉動作命令を付与する。これにより、熱源配管内を蒸気の凝縮水により密封して、蒸気の外部への流出を防止することができる。
【００２３】
また、本発明の吸収式冷凍機は、上記記載の吸収式冷凍機において、前記蒸気ドレン遮断弁は、手動により開閉可能であることが好ましい。
【００２４】
上記の構成によれば、前記蒸気ドレン遮断弁は、手動により開閉可能であるため、吸収式冷凍機の使用者は、任意のタイミングで熱源配管内を密封して、蒸気の外部への流出を防止することができる。
【発明の効果】
【００２５】
本発明の吸収式冷凍機は、以上のように、前記熱源配管内における前記蒸気の流通を遮断する蒸気ドレン遮断弁が、前記熱源配管上に設けられている構成である。
【００２６】
これにより、蒸気制御弁および蒸気遮断弁から蒸気が漏洩したとしても、蒸気ドレン遮断弁から下流側には蒸気が流出されなくなる。したがって、蒸気ラインにおける蒸気の損失を防止することができるという効果を奏する。
【発明を実施するための最良の形態】
【００２７】
本発明の一実施形態について図面に基づいて説明すれば、以下のとおりである。なお、本実施の形態では、吸収式冷凍機を二重効用吸収式冷凍機（以下、吸収式冷凍機と称する）として説明するが、一重効用吸収式冷凍機や、その他の蒸気式の吸収式冷凍機にも適用可能である。また、吸収式冷凍機は、冷媒に例えば水（Ｈ２Ｏ）、吸収液（溶液）に臭化リチウム（ＬｉＢｒ）溶液を使用したものである。
【００２８】
初めに、本実施の形態における吸収式冷凍機の概略構成について図１を用いて以下に説明する。図１は、本実施の形態における吸収式冷凍機の概略構成を示すブロック図である。
【００２９】
吸収式冷凍機１は、熱源となる蒸気を利用して高温の蒸気を発生する高温再生器２と、高温再生器２で発生した蒸気を熱源に利用して蒸気を発生する低温再生器３と、高温再生器２および低温再生器３で発生した蒸気を凝縮させて液化する凝縮器４と、内部で冷媒を散布して蒸発させる蒸発器５と、内部で吸収液を散布して蒸発器５で発生した冷媒蒸気を吸収する吸収器６と、高温再生器２に設けられ熱源である蒸気が流れる加熱器７とを備えている。また、吸収式冷凍機１は、上述の各構成部品において熱交換を行う、凝縮器熱交換器８と、蒸発器熱交換器９と、吸収器熱交換器１０と、低温熱交換器１１と、高温熱交換器１２とを備えている。
【００３０】
さらに、吸収式冷凍機１は、加熱器７に接続されて例えばボイラー（図示せず）などから高温高圧の蒸気を加熱器７に供給する熱源配管７Ａと、熱源配管７Ａの高温再生器２への入口側の蒸気配管（熱源配管）７ａの途中に設けられた蒸気制御弁１３と、蒸気制御弁１３の上流側の蒸気配管７ａの途中に設けられた蒸気遮断弁１４とを備えている。高温再生器２の出口側のドレン配管（熱源配管）７ｂの途中には、外部に排出される蒸気および蒸気ドレンの吸収式冷凍機１内への逆流を防止する逆止弁１５が設けられている。また、逆止弁１５の上流側のドレン配管７ｂの途中には、熱回収器１６が設けられ、さらに下流側には、吸収式冷凍機１が長期間停止している間に、蒸気制御弁１３および蒸気遮断弁１４から漏洩した蒸気および蒸気ドレンが外部に流出するのを防ぐ蒸気ドレン遮断弁１７が設けられている。
【００３１】
なお、凝縮器４には、冷却塔（図示せず）に接続されて冷却水を流通する冷却水配管２１が挿通されている。
【００３２】
また、蒸発器５は、該蒸発器５に接続されて冷媒を循環させる冷媒ポンプ５Ｐを備えており、該蒸発器５には、ビル等の空調機（図示せず）に冷水を流通させる冷水配管１８ａおよび１８ｂが挿通されている。冷水配管１８ａおよび１８ｂの間には、蒸発器熱交換器９が設けられている。
【００３３】
また、蒸発器５の出口側の冷水配管１８ｂには、空調機に供給される冷水の温度を検出するための温度検出器１９が設けられている。吸収式冷凍機１は、温度検出器１９により検出された温度に基づいて、また、使用者からの吸収式冷凍機１の運転／停止命令に基づいて、蒸気制御弁１３、蒸気遮断弁１４および蒸気ドレン遮断弁１７の開閉を制御する制御器２０を備えている。
【００３４】
また、吸収器６は、該吸収器６の吸収液を高温再生器２に供給する吸収液ポンプ６Ｐを備えている。吸収器６には、凝縮器４と同様、冷却水配管２１が挿通されている。また、低温熱交換器１１と高温熱交換器１２との間には熱回収器１６が設けられ、この熱回収器１６で稀吸収液と高温再生器２からの凝縮水とが熱交換する。
【００３５】
ここで、上記のように構成されたに吸収式冷凍機１の原理について以下に説明する。
【００３６】
吸収式冷凍機１は、従来の吸収式冷凍機と同様に、まず、ボイラー等（図示せず）から高温高圧の蒸気が蒸気配管７ａを通って、高温再生器２の加熱器７に供給され、高温再生器２が運転する。高温再生器２では、濃度が薄い吸収液（以下、稀吸収液という）が高温高圧の蒸気により加熱され、稀吸収液から冷媒が分離して蒸発する。蒸発した冷媒は冷媒蒸気配管２２を通って低温再生器３へ流れる。
【００３７】
次に、低温再生器３の中間吸収液は、高温再生器２からの冷媒蒸気によって加熱され、中間吸収液からさらに冷媒が分離する。高温再生器２からの冷媒蒸気は低温再生器３にて凝縮して凝縮器４へ流れ、また、低温再生器３にて分離した冷媒も凝縮器４へ流れる。そして、冷媒蒸気は、冷却塔から冷却水配管２１を介して凝縮器熱交換器８に流れる冷却水と熱交換して凝縮液化する。
【００３８】
次に、凝縮器４で生成された冷媒液は、蒸発器５へ流下し、冷媒ポンプ５Ｐの運転によって蒸発器熱交換器９に散布される。そして、冷媒液が蒸発器熱交換器９を流れる冷水と熱交換して蒸発し、気化熱によって冷水が冷却されてビルの空調機などの負荷へ供給される。また、蒸発器５で蒸発した冷媒は吸収器６へ流れ、吸収器６内部で散布される濃い吸収液（以下、濃液という）に吸収される。
【００３９】
吸収器６にて冷媒を吸収した稀吸収液は、低温熱交換器１１および高温熱交換器１２にて温度上昇した後、高温再生器２に送られる。稀吸収液は、高温再生器２にて加熱器７によって加熱され、冷媒を分離して中間吸収液となり高温熱交換器１２にて熱交換して温度低下し低温再生器３に流入する。低温再生器３にて冷媒をさらに分離して濃くなった濃吸収液は低温熱交換器１１に送られ、温度低下して吸収器６に戻る。
【００４０】
上記のように吸収液および冷媒が循環しているとき、制御器２０により温度検出器１９の検出温度に基づいて蒸気制御弁１３の開度が調節される。例えば負荷の量が増加して温度検出器１９の検出温度である冷水出口温度が上昇したときは、制御器１９は蒸気制御弁１３へ開信号を出力し、蒸気制御弁１３の開度は増加して加熱器７の加熱量は増加し、稀吸収液からの冷媒蒸気の分離量が増加する。このため、凝縮器４から蒸発器５へ流れる冷媒液の量が増加し、蒸発器５の能力が増加して冷水の出口温度が低下する。
【００４１】
また、例えば温度検出器１９の検出温度である冷水出口温度が低下したときは、制御器２０は蒸気制御弁１３へ閉信号を出力し、蒸気制御弁１３の開度は減少して加熱器７の加熱量は減少し、稀吸収液からの冷媒蒸気の分離量が減少する。このため、凝縮器４から蒸発器５へ流れる冷媒液の量が減少し、蒸発器５の能力が減少して冷水の出口温度が上昇する。このように高温再生器２の加熱量は制御器２０により制御され、蒸発器５の冷却能力は調節されて冷水出口温度はほぼ設定温度に保たれる。
【００４２】
なお、上記のように運転している吸収式冷凍機１を停止するときは、停止信号を入力した制御器２０が蒸気制御弁１３および蒸気遮断弁１４に閉信号を出力し、この閉信号を入力した蒸気制御弁１３および蒸気遮断弁１４が全閉する。これにより、加熱器１６への蒸気の供給が停止し、吸収式冷凍機１が停止する。このように、吸収式冷凍機１は、制御器２０により、冷水出口温度の調節および運転／停止の切り替えが行われる。
【００４３】
ところで、吸収式冷凍機１は、主に夏季に稼動し、冬季には長期間の停止状態となるため、吸収式冷凍機１が停止している間は、年中稼動する蒸気ラインを流れる蒸気が、吸収式冷凍機１内および吸収式冷凍機１を介して外部に排出されないように、蒸気制御弁１３および蒸気遮断弁１４において、蒸気の流出を完全に遮断する必要がある。
【００４４】
しかしながら、従来の吸収式冷凍機は、該吸収式冷凍機が稼動している時期の間、冷水の温度調節や、吸収式冷凍機の運転／停止の切り替えのために、蒸気制御弁および蒸気遮断弁の開閉が繰り返されるため、蒸気制御弁および蒸気遮断弁が磨耗等により劣化して蒸気の流れを完全に遮断することができない。特に蒸気ラインでは、高圧の蒸気が流れているため、僅かでも隙間があると、その隙間から蒸気が漏洩してしまう。これにより、蒸気ラインにおける蒸気の損失が生じるという問題点がある。
【００４５】
この点、本実施の形態における吸収式冷凍機１は、上述のように、高温再生器１の出口側のドレン配管７ｂの途中に蒸気ドレン遮断弁１７が設けられている。蒸気ドレン遮断弁１７は、劣化等により蒸気制御弁１３および蒸気遮断弁１４から漏洩した蒸気および蒸気ドレンが外部に排出されないように、ドレン配管７ｂ内を密封するものであり、吸収式冷凍機１を長期間停止状態とする場合などに作動するものである。
【００４６】
この蒸気ドレン遮断弁１７を閉じると、蒸気配管７ａおよびドレン配管７ｂに残留する高温高圧の蒸気が凝縮されて、逆止弁１５と蒸気ドレン遮断弁１７との間に凝縮水が生成される。これにより、外部に通じるドレン配管７ｂ内を凝縮水により封止することができるため、蒸気および蒸気ドレンの外部への流出を防ぐことができる。
【００４７】
蒸気ドレン遮断弁１７の具体的な作動方法としては、吸収式冷凍機１の長期間の停止時、例えば夏季終了時やメンテナンス時に、手動により弁を閉める方法の他、制御器２０により弁の開閉を制御する構成としてもよい。制御器２０による開閉制御の方法としては、例えば、蒸気制御弁１３および蒸気遮断弁１４が閉じてから、所定の時間が経過したときに制御器２０が蒸気ドレン遮断弁１７に閉信号を出力して、この閉信号を入力した蒸気ドレン遮断弁１７が全閉する方法が挙げられる。なお、制御器２０により蒸気ドレン遮断弁１７の閉動作を制御する具体的な処理方法については後述する。
【００４８】
このように、蒸気ドレン遮断弁１７は、蒸気制御弁１３や蒸気遮断弁１４のように、頻繁に作動するものではなく、吸収式冷凍機１の長期間の停止時にのみ作動するため、劣化等による蒸気の漏洩は生じない。
【００４９】
なお、高温高圧の蒸気を閉止するのに比べて蒸気ドレンの閉止は格段に容易であることから、蒸気遮断弁１４の閉止とともに蒸気ドレン遮断弁１７を閉止しても良い。ただし、弁の劣化を考慮すると、長時間の停止時のみ作動させることが好ましい。
【００５０】
また、蒸気ドレン遮断弁１７は、従来公知の遮断弁を用いることができる。したがって、吸収式冷凍機１に供給される蒸気の量を調節する蒸気制御弁１３または蒸気遮断弁１４と同一の遮断弁を用いても良い。
【００５１】
ここで、蒸気制御弁１３、蒸気遮断弁１４および蒸気ドレン遮断弁１７を制御器２０により開閉制御する方法について図２を用いて以下に説明する。図２は、吸収式冷凍機１を長期間停止状態とするときの制御器２０の動作例を示す処理フロー図である。
【００５２】
図２のフロー図のステップ１（以降、Ｓ１のように称する）にて、制御器２０が停止信号（長期間停止用の信号）を入力すると、制御器２０は蒸気制御弁１３に閉信号を出力し、この閉信号が入力された蒸気制御弁１３は次第に閉じる（Ｓ２）。次に、制御器２０は蒸気制御弁１３が全閉したか否かを判断し（Ｓ３）、蒸気制御弁１３が全閉する。これにより、加熱器７への蒸気の供給が停止される。
【００５３】
蒸気制御弁１３が全閉した時点で、制御器２０はタイマ（図示せず）にカウント動作を開始させ、制御器２０は第１の所定時間、例えば１分が経過しているか否かを判断する（Ｓ４）。第１の所定時間が経過した場合（Ｓ４にてＹＥＳ）、制御器２０は蒸気遮断弁１４に閉信号を出力し、この閉信号が入力された蒸気遮断弁１４は全閉する（Ｓ５）。蒸気制御弁１３と蒸気遮断弁１４とが共に全閉すると、蒸気制御弁１３と蒸気遮断弁１４との間の蒸気配管７ａに高温高圧の蒸気が閉じこめられる。
【００５４】
次に、制御器２０は蒸気遮断弁１４が全閉したか否かを判断し（Ｓ６）、蒸気遮断弁１４が全閉した場合（Ｓ６にてＹＥＳ）、制御器２０は、タイマをリセットして新たなカウント動作を開始させると共に、第２の所定時間が経過したか否かを判断する（Ｓ７）。第２の所定時間、例えば１分が経過した場合（Ｓ７にてＹＥＳ）、制御器２０は蒸気ドレン遮断弁１７に閉信号を出力し、蒸気ドレン遮断弁１７は、閉信号を入力すると全閉する（Ｓ８）。
【００５５】
つづいて、制御器２０は蒸気ドレン遮断弁１７が全閉したか否かを判断し（Ｓ９）、蒸気ドレン遮断弁１７が全閉した場合（Ｓ９にてＹＥＳ）、制御器２０は、蒸気制御弁１３に開信号を出力し、蒸気制御弁１３はこの開信号に基づいて次第に開く（Ｓ１０）。なお、このときタイマはリセットされる。そして、蒸気制御弁１３が全開したか否かを判断し（Ｓ１１）、蒸気制御弁１３が全開した場合（Ｓ１１にてＹＥＳ）、全開したときからの時間をカウントして蒸気制御弁１３が全開してから第３の所定時間、例えば１分が経過したか否かを判断する（Ｓ１２）。
【００５６】
第３の所定時間が経過した場合（Ｓ１２にてＹＥＳ）、制御器２０は蒸気制御弁１３に閉信号を出力し、蒸気制御弁１３は、制御器２０からの閉信号に基づいて全閉する（Ｓ１３）。そして、制御器２０は、蒸気制御弁１３が全閉したか否かを判断し（Ｓ１４）、蒸気制御弁１３が全閉する。この一連の動作により、蒸気制御弁１３、蒸気遮断弁１４および蒸気ドレン遮断弁１７を全閉することができる。
【００５７】
本実施の形態では、上述のように、蒸気ドレン遮断弁１７および蒸気遮断弁１４が閉じた状態で、一旦、蒸気制御弁１３が開くため、蒸気制御弁１３と蒸気遮断弁１４との間の蒸気配管７ａに閉じこめられていた高温高圧の蒸気が加熱器７へ流れる。蒸気は加熱器７にて凝縮水となり、ドレン配管７ｂを流下して蒸気ドレン遮断弁１７に達する。そして、凝縮水の流通は蒸気ドレン遮断弁１７で遮断されるため、蒸気ドレン遮断弁１７より下流側には流出しなくなる。これにより、ドレン配管７ｂ内を凝縮水により封止することができるため、吸収式冷凍機１の長期間の停止中に、蒸気制御弁１３および蒸気遮断弁１４から漏洩する蒸気および蒸気ドレンの外部への流出を抑えることができる。したがって、蒸気ラインにおける蒸気の損失を防ぐことが可能となる。
【００５８】
なお、吸収式冷凍機１を一時的に停止するときは、蒸気ドレン遮断弁１７の閉動作は実行されないことが好ましい。これにより、蒸気ドレン遮断弁１７の使用頻度を少なくでき、自身の劣化を抑えることができる。なお、蒸気ドレン遮断弁１７の閉動作を実行させるか否かは、例えば、制御器２０に入力される運転停止信号が、吸収式冷凍機１の長期間停止用の信号であるか、一時停止用の信号であるかにより、異なる処理を実行する構成とすることにより実現可能である。具体的には、制御器２０に一時停止用の信号が入力された場合は、図２のフロー図において、Ｓ６にてＹＥＳ、すなわち蒸気遮断弁１４が全閉した時点で、Ｓ１１の蒸気制御弁１３の開動作に移行する構成とする方法が挙げられる。
【００５９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００６０】
本発明は、蒸気の凝縮水により配管内を密封する構成であるため、蒸気式の吸収式冷凍機全般に適用することができる。
【図面の簡単な説明】
【００６１】
【図１】本発明の一実施の形態に係る吸収式冷凍機の概略構成を示すブロック図である。
【図２】本発明の一実施の形態に係る吸収式冷凍機を長期間停止状態とするときの制御器の動作例を示す処理フロー図である。
【図３】従来の吸収式冷凍機の概略構成を示すブロック図である。
【符号の説明】
【００６２】
１      吸収式冷凍機
２      高温再生器
３      低温再生器
４      凝縮器
５      蒸発器
６      吸収器
７      加熱器
７ａ    蒸気配管（熱源配管）
７ｂ    ドレン配管（熱源配管）
１３      蒸気制御弁
１４      蒸気遮断弁
１６      熱回収器
１７      蒸気ドレン遮断弁
２０      制御器
【図１】
2008241083.tif 000003
【図２】
2008241083.tif 000004
【図３】
2008241083.tif 000005